(57)【要約】【課題】画像データを受信し出力して画像記録を行う場合、画像データの入出力可否を認識でき、ＹＭＣＫ４色またはＲＧＢ３色で表現が困難な特色に関する使用可否を認識できるようにした画像記録装置、画像記録装置における表示方法及びその表示方法を実行可能なプログラムを提供する。【解決手段】この画像記録装置は、外部から入力した画像データを画像データバッファ１２で一旦記憶してから出力し画像記録を行い、画像データの色情報、入出力状態の情報及び画像データバッファの動作可否情報を表示部１４ａに表示する。また、画像データに含まれる特色情報について入出力可否を判定し、各情報を表示する。【選択図】  図１
2004243651.tif 000002
【特許請求の範囲】
【請求項１】
外部から入力した画像データを画像データバッファで一旦記憶し前記画像データバッファから出力し画像記録を行う画像記録装置において、
前記画像データの色情報、入出力状態の情報及び前記画像データバッファの動作可否情報を表示部に表示するように構成したことを特徴とする画像記録装置。
【請求項２】
前記画像データに含まれる特色情報について入出力可否を判定し、前記各情報を表示することを特徴とする請求項１に記載の画像記録装置。
【請求項３】
前記画像データバッファを複数備え、前記画像データバッファ毎に前記情報を表示することを特徴とする請求項１または２に記載の画像記録装置。
【請求項４】
外部から入力した画像データを画像データバッファで一旦記憶し前記画像データバッファから出力し画像記録を行う画像記録装置における表示方法であって、
前記画像データの色情報、入出力状態の情報及び前記画像データバッファの動作可否情報を表示することを特徴とする表示方法。
【請求項５】
前記画像データに含まれる特色情報について入出力可否を判定し、前記各情報を表示することを特徴とする請求項３に記載の表示方法。
【請求項６】
前記画像記録装置が前記画像データバッファを複数備え、前記各画像データバッファ毎に前記情報を表示することを特徴とする請求項４または５に記載の表示方法。
【請求項７】
請求項４，５または６に記載の表示方法をコンピュータに実行させるためのプログラム。
【発明の詳細な説明】
【０００１】
【発明の属する技術分野】
本発明は、画像記録装置、画像記録装置における表示方法及びその表示方法を実行可能なプログラムに関するものである。
【０００２】
【従来の技術】
従来、ＲＩＰ（ラスタ・イメージ・プロセッサ）等で処理されたホスト装置からの網点画像データに基づいて画像を形成し、印刷版の基となる画像データのチェックを行なうカラープルーフを作成する画像記録装置が公知である。即ち、カラー印刷物を作成する際には、原稿フィルムの段階で色校正を行うことがあり、画像記録装置により、Ｃ（シアン）版、Ｍ（マゼンタ）版、Ｙ（イエロー）版、及びＫ（墨色）版に色分解された各色分解網原稿フィルムを使って校正物（カラープルーフ）を作成し、本番の印刷版を作成する前に、原稿フィルムのレイアウトに間違いがないか、色間違いがないか、文字の誤りがないか等を検査し、印刷物の仕上がりを事前に確認する。
【０００３】
このような画像記録装置では、通常、ＹＭＣＫ４色またはＲＧＢ３色で構成されるカラー画像データに対し、画像受信中または出力中に該当色を表示することがある。この場合、ＹＭＣＫ４色またはＲＧＢ３色で表現が困難な色（特色）については、機能外として画像記録装置側で取り扱われることは少ない。
【０００４】
上記画像記録装置では、画像データの受信・出力のステータスは表示されるが、入出力可否のステータスについては同一データから認識できず、また、通常、ＹＭＣＫ４色またはＲＧＢ３色で表現されるカラー画像データの他に表現が困難な色（特色）についての表示がされることはなく、不便であった。
【０００５】
【発明が解決しようとする課題】
本発明は、上記従来技術の問題に鑑み、画像データを受信し出力して画像記録を行う場合、画像データの入出力可否を認識でき、ＹＭＣＫ４色またはＲＧＢ３色で表現が困難な特色に関する使用可否を認識できるようにした画像記録装置、画像記録装置における表示方法及びその表示方法を実行可能なプログラムを提供することを目的とする。
【０００６】
【課題を解決するための手段】
上記目的を達成するために、本発明による画像記録装置は、外部から入力した画像データを画像データバッファで一旦記憶し前記画像データバッファから出力し画像記録を行う画像記録装置において、前記画像データの色情報、入出力状態の情報及び前記画像データバッファの動作可否情報を表示部に表示するように構成したことを特徴とする。この画像記録装置によれば、画像データバッファの動作可否情報を表示部に表示することで、画像データの入出力可否を認識できる。
【０００７】
また、上記画像記録装置において前記画像データに含まれる特色情報について入出力可否を判定し、前記各情報を表示することで、ＹＭＣＫ４色またはＲＧＢ３色で表現が困難な特色に関する使用可否を認識できる。
【０００８】
また、前記画像データバッファを複数備え、前記画像データバッファ毎に前記情報を表示するようにできる。
【０００９】
本発明による画像記録装置における表示方法は、外部から入力した画像データを画像データバッファで一旦記憶し前記画像データバッファから出力し画像記録を行う画像記録装置における表示方法であって、前記画像データの色情報、入出力状態の情報及び前記画像データバッファの動作可否情報を表示することを特徴とする。この表示方法によれば、画像データバッファの動作可否情報を表示することで、画像データの入出力可否を認識できる。
【００１０】
上記表示方法において前記画像データに含まれる特色情報について入出力可否を判定し、前記各情報を表示することで、ＹＭＣＫ４色またはＲＧＢ３色で表現が困難な特色に関する使用可否を認識できる。
【００１１】
また、前記画像記録装置が前記画像データバッファを複数備え、前記各画像データバッファ毎に前記情報を表示することができる。
【００１２】
本発明によるプログラムは、上述の表示方法をコンピュータに実行させるためのプログラムである。このプログラムにより画像記録装置内のコンピュータに上述の画像データバッファの使用可否判定のアルゴリズムを実行させることができる。
【００１３】
【発明の実施の形態】
以下、本発明による実施の形態について図面を用いて説明する。図１は本発明の実施の形態による画像記録装置のブロック図である。
【００１４】
図１に示すように、画像記録装置は、ＰＳ（ポストスクリプト）ファイル（ベクトル形式のデータ又は出力装置の解像度に依存しないラスタデータにより構成されたデータ）を受けて、画像データを接続された出力装置に対応したラスタデータとして出力するＲＩＰ（ラスタイメージプロセッサ：ラスタデータ変換装置）１０と、ＲＩＰ１０から出力される画像データを露光記録する露光装置２０と、を備える。露光装置２０が出力データを記録する出力機に相当する。
【００１５】
なお、本実施の形態では、画像記録方法として露光記録する場合を示しているが、その他にインクジェットプリンタ、熱転写プリンタ、熱昇華型プリンタ等を用いることができる。また、図１では、露光装置２０と接続される画像入力装置としてＲＩＰを用いているが、ラスタデータとして画像情報を出力する装置であれば、どのようなものを用いてもよい。
【００１６】
ＲＩＰ１０は、ＰＳファイルを解釈するインタープリタ１と、インタープリタ１の解釈に基づいて画像データをラスタデータに変換するデータ変換部２と、装置の全体の動作を制御する制御部３と、を備える。ＲＩＰ１０からラスタ形式の画像データと、データ送受信のための制御信号が出力される。
【００１７】
露光装置２０は、ＲＩＰ１０からの制御信号を受けて露光装置２０全体の動作を制御する例えばＣＰＵ等から構成される制御部１１と、ＲＩＰ１０から出力される画像データを記憶するために例えば半導体メモリやハードディスク装置（ＨＤ）等の高速大容量記憶手段から構成される画像メモリバッファ１２と、画像メモリバッファ１２に記憶されている画像データを露光して画像記録する露光部１３と、を備える。
【００１８】
露光装置２０は、更に、露光装置２０の操作を行なう操作パネル１４を備え、操作パネル１４は画像表示部１４ａと操作部１４ｂとから構成される。操作部１４ｂとしては、例えばタッチパネルが用いられる。操作パネル１４は制御部１１と接続されている。このように構成した装置の動作を説明すれば、以下の通りである。
【００１９】
図１において、外部よりＰＳファイルが入力されると、インタープリタ１はその内容を解釈し、データ変換部２にラスタデータへの変換を行わせる。このようにして、データ変換部２によりラスタデータに変換された画像データは、露光装置２０に与えられる。一方、制御部３からは制御信号が露光装置２０に与えられる。
【００２０】
露光装置２０において、制御部１１はＲＩＰ１０から与えられる制御信号を基に画像データを画像メモリバッファ１２に一旦記憶させる。画像記録時には、制御部１１は画像メモリバッファ１２から該当する画像データを読み出し、露光部１３に与える。露光部１３は、記録シートに画像を露光し、画像記録が行なわれ、オペレータは、記録シートに記録された画像の状態を観察しプルーフチェックを行い、印刷に問題がないかどうかを確認する。問題がある場合には、その問題点を除去して、再度画像記録させる。問題がない場合には、そのまま本来の画像印刷に移行する。
【００２１】
次に、図１の操作パネル１４は画像表示部１４ａにおける情報表示について図２，図３を参照して説明する。なお、図１の画像メモリバッファ１２はメモリを２つ備え、以下、バッファ１，バッファ２，という。
【００２２】
図１の制御部１１は各バッファ１，２の状態を取得し、各状態を一つのステータス上に表現することにより表示を行う。なお、各バッファ１，２の状態取得は、例えば画像記録装置の起動時に自動的に行うようにできる。
【００２３】
また、制御部１１は、受信した画像データに含まれる特色情報について入出力可否状態を判定し、その情報を各色（「Ｙ」「Ｍ」「Ｃ」「Ｋ」）と同様に表示する。
【００２４】
具体的な表示例について説明すると、各バッファ１，２の容量に余裕がなく使用不可のときは、「  」（ブランク）、容量に余裕があり使用可能（待機）のときは、「−」（横棒１本）、によりそれぞれ各色情報毎に行う。例えば、図２では、バッファ１，２ともに容量に余裕があり使用可能であるので、各６色の色情報（「Ｃｏｌｏｒ」）に関し、「Ｙ」「Ｍ」「Ｃ」「Ｋ」「Ｓ１」「Ｓ２」の順に、「−−−−−−」のように表示されている（「Ｓｌ」、「Ｓ２」は特色を意味する。）。従って、図２では、バッファ１，２ともに入力可能（「ｒｅａｄｙ」）であることを示す。
【００２５】
また、各６色について受信・出力待ち・出力時のときは、各色情報に関し、「Ｙ」「Ｍ」「Ｃ」「Ｋ」「Ｓ１」「Ｓ２」、と表示する。
【００２６】
また、受信中の色については、画面上で点滅表示または該当色表示領域を反転表示しており、視認性を向上させることができる。また、特色（「Ｓｌ」、「Ｓ２」）の入出力可否を自動判定し上記表示を行う。
【００２７】
図２における表示例を図３で更に説明する。図３（ａ）では「Ｙ」「Ｍ」「Ｃ」「Ｋ」の４色が待機状態である。図３（ｂ）ではバッファ２で「Ｋ」が受信できない状態である。図３（ｃ）ではバッファ２で４色全てが受信できない状態である。
【００２８】
図３（ｄ）ではバッファ１の「Ｙ」が点滅中であり、バッファ１で「Ｙ」色を受信中である。図３（ｅ）ではバッファ１の「Ｍ」が点滅中であり、バッファ１で「Ｙ」色を受信後、「Ｍ」色を受信中である。図３（ｆ）ではバッファ１で４色全ての受信を完了しまたは露光中の状態である。
【００２９】
図３（ｇ）では、バッファ１、２ともに特色（「Ｓ１」，「Ｓ２」）を受信可能状態である。図３（ｈ）では、バッファ１、２ともに特色（「Ｓ１」，「Ｓ２」）を受信可能状態であり、バッファ１の「Ｙ」が点滅中でありバッファ１が「Ｙ」色を受信中である。図３（ｉ）ではバッファ１で６色全ての受信を完了しまたは露光中の状態である。
【００３０】
以上のようにして、各色当たりの表示情報を増やすことなく、１文字／色でバッファ・色に関する必要な全ての情報を表示することで視認性の高いインターフェイスを実現できる。色情報内に受信・出力可否情報を表示できるので、画像データが未入力状態であっても受信・出力可否情報を確認可能となる。また、バッファが複数ある場合は未使用バッファも含めて表示できる。また、特色の使用可否情報が自動認識されて表示されることにより同色を使用する場合の判断が可能となる。
【００３１】
本実施の形態の画像記録装置によれば、従来、画像データの入出力可否については同一データから認識できず、また特色についての表示がされることはなかったのに対し、画像データバッファの動作可否情報を表示部に表示することで画像データの入出力可否を認識できるとともに、画像データに含まれる特色情報について入出力可否を判定し、その情報を表示することで、ＹＭＣＫ４色またはＲＧＢ３色で表現が困難な特色に関する使用可否を認識できる。
【００３２】
以上のように本発明を実施の形態により説明したが、本発明はこれらに限定されるものではなく、本発明の技術的思想の範囲内で各種の変形が可能である。例えば、本実施の形態では、画像記録装置として露光装置を用いた場合を例にしたが、本発明はこれに限るものではなく、他の種類の画像記録装置、例えばインクジェットプリンタ又は熱転写プリンタ等であってもよい。また、画像変換装置もＲＩＰである必要はなく、入力画像データをラスタデータに変換できる機能を持つものであれば、どのような種類のものであってもよい。
【００３３】
【発明の効果】
本発明によれば、画像データを受信し出力して画像記録を行う画像記録装置において画像データの入出力可否を認識でき、またＹＭＣＫ４色またはＲＧＢ３色で表現が困難な特色に関する使用可否を認識できるようにした画像記録装置、画像記録装置における表示方法及びその表示方法を実行可能なプログラムを提供できる。
【図面の簡単な説明】
【図１】本実施の形態による画像記録装置のブロック図である。
【図２】図１の画像記録装置の画像表示部の画面におけるバッファに関する情報表示例を示す図である。
【図３】図２の画面における情報表示例（ａ）乃至（ｉ）を示す図である。
【符号の説明】
１０  ＲＩＰ（ラスタデータ変換装置）
１１  制御部
１２  画像メモリバッファ
１３  露光部
１４  操作パネル
１４ａ  画像表示部
１４ｂ  操作部
２０  露光装置
【図１】
2004243651.tif 000003
【図２】
2004243651.tif 000004
【図３】
2004243651.tif 000005